(57)【特許請求の範囲】
【請求項１】
プレスダイスをヨークダイス方向に進出させて、プレスダイスとヨークダイスとの間でかしめ対象をかしめるようになっていて、
前記ヨークダイスは、ダイス本体部とこのダイス本体部の一側から延出するアーム部を有し、
前記アーム部の先端部が工具本体に枢支され前記アーム部の先端部を中心に回動し、前記ダイス本体部がプレスダイスとのかしめ位置と、かしめ対象挿脱位置とを選択可能にされているとともに、
前記ヨークダイスのダイス本体部の他端に設けられた係止部に係止して前記ヨークダイスを前記かしめ位置に保持するラッチを備えるかしめ工具であって、
前記ラッチは、前記ヨークダイスの係止部に係止させた状態を維持するようにロックする手動解除可能なロック機構が設けられていることを特徴とするかしめ工具。
【請求項２】
上記ロック機構は、ロック部が弾性体の付勢力によってロック位置に保持される請求項１に記載のかしめ工具。
【請求項３】
上記ラッチは、工具本体に枢支された枢支部を有するとともに、この枢支部を挟んでラッチ部と、ハンドル部とを備え、
このハンドル部が工具本体側に押圧動作されることによって、前記ラッチ部が枢支部を中心に回動し、前記ラッチ部のヨークダイスの係止部への係止が解除されるように形成されている請求項１または請求項２に記載のかしめ工具。
【請求項４】
上記ハンドル部が、ハンドル部本体と、このハンドル部本体に沿ってスライドするとともに、弾性体によってラッチ部側に向かって付勢されたロック解除レバーとを備え、
ロック解除レバーが前記付勢力に抗してスライドしてロック部のロックが解除される請求項３に記載のかしめ工具。
【請求項５】
上記ロック解除レバーが、工具本体に設けられたガイド溝に沿ってスライドする突起状ロック部を有し、
前記ガイド溝は、その底が、ロック解除レバーがロック位置にきたとき、前記突起状ロック部のロック部底面を受けてラッチ部の係止解除方向のラッチの回動を抑止する底部を有する第１溝部と、
前記ロック解除レバーがロック解除位置にきたとき、前記突起状ロック部が嵌り込む第２溝部を備えた階段状となっている請求項４に記載のかしめ工具。
【請求項６】
第１溝部の底部が第２溝部側に向かって下り勾配の傾斜面になり、突起状ロック部のロック部底面が第１溝部の前記傾斜面に沿う傾斜面になっている請求項５に記載のかしめ工具。
【請求項７】
ロック解除レバーが、工具本体を片手で保持した状態で、保持した手の親指を係止可能、かつ、係止された親指でロック解除レバーをロック解除位置までスライド動作可能な指係止突部を備えている請求項５または請求項６に記載のかしめ工具。
【請求項８】
指係止突部が、ロック状態でラッチの枢支軸を挟んでラッチ部と逆側に配置されるように設けられている請求項７に記載のかしめ工具。
【請求項９】
指係止突部は、指係り部がアール状に湾曲している請求項７または請求項８に記載のかしめ工具。
【発明の詳細な説明】
【技術分野】
【０００１】
本発明は、例えば、給水・給湯用として用いられる可撓性を有する合成樹脂製あるいは複合管を他の配管材と接続するために用いる圧縮継手のスリーブをかしめるために用いるかしめ工具に関する。
【背景技術】
【０００２】
住宅などの床下に給水・給湯用として配管される架橋ポリエチレン管や、アルミニウムの芯層を挟んで内外層にポリエチレンなどの合成樹脂層が形成された複合管などの柔軟管を他の配管材と接続するために、圧縮継手（例えば、積水化学工業株式会社の商品名メタキュット、メタキュットREDなど）が用いられている。
【０００３】
この圧縮継手は、かしめ対象としてのスリーブを外側から内側に向かって縮径させるようにかしめ、縮径したスリーブとニップル部との間で上記柔軟管の端部を挟み込むことによって、柔軟管を水密に接続するようになっている。
一方、上記のようにスリーブをかしめる際には、図１１に示すようなかしめ工具２００が従来から用いられている（特許文献１）。
【０００４】
図１１に示すように、かしめ工具２００は、工具本体２１０と、ヨークダイス固定用ラッチ（以下、「ラッチ」とのみ記す）２２０と、ヨークダイス２３０と、プレスダイスホルダ２４０と、プレスダイス２５０とを備えている。
工具本体２１０は、シリンダ２１１と、ピストン２１２とを備えている。
【０００５】
ピストン２１２は、油圧によって進退し、その先端部がシリンダヘッド２１１ａから出没するようになっている。
シリンダ２１１は、シリンダヘッド２１１ａの一側にラッチ２２０を枢支するラッチ枢支アーム２１１ｂを有し、他側にヨークダイス２３０を枢支するヨークダイス枢支アーム２１１ｃを備えている。
【０００６】
ラッチ２２０は、一端にラッチ部２２１、他端にハンドル部２２２を有し、ラッチ部２２１とハンドル部２２２との間に設けられたラッチ枢支部２２０ａがラッチ枢支アーム２１１ｂの先端に枢支されている。
ラッチ部２２１は、後述するヨークダイス２３０の係止部２３１が係合する係合穴２２１ａを備えている。
そして、ラッチ２２０は、ラッチ部２２１がコイルばね（図示せず）によってヨークダイス方向に常に付勢されている。
【０００７】
ヨークダイス２３０は、ダイス本体部２３１と、係止部２３２と、アーム部２３３とを備えている。
そして、ヨークダイス２３０は、アーム部２３３の先端がヨークダイス枢支部２１１ｃに枢支されて、回動自在になっているとともに、係止部２３２が上記係合穴２２１ａにはまり込んで、ラッチ２２０によって上記回動を抑止されるようになっている。
【０００８】
そして、このかしめ工具２００は、以下のようにして圧縮継手１００のスリーブ１２０をかしめる（圧縮する）ようになっている。
（１）ハンドル部２２２を押さえて、ラッチ２２０のラッチ部２２１をヨークダイス２３０の係止部２３２から遠ざかるように回動させて、係合穴２２１ａへの係止部２３２の係止を解除する。
（２）係止解除状態を保ちながら、ヨークダイス２３０をラッチから離れる方向に回動させて、ヨークダイス２３０と、プレスダイスホルダ２４０に装着されたプレスダイス２５０との間隔を広げ、形成されたヨークダイス２３０と、ラッチ部２２１との隙間を通して、圧縮継手１００のスリーブ１２０部分をヨークダイス２３０とプレスダイス２５０との間に臨ませる。
（３）ヨークダイス２３０を（２）工程と反対側に回動させて、ラッチ部２２１の係合穴２２１ａに係止部２３２を係止させる。
（４）工具本体２１０の操作レバー２１５を操作して、ピストン２１２を油圧によってヨークダイス２３０側に進出させてスリーブ１２０をプレスダイス２５０によってヨークダイス２３０側にプレスすることによってかしめる。
図１１中、２１６はリリースレバーである。
【先行技術文献】
【特許文献】
【０００９】
【特許文献１】特開2008-64218号公報
【特許文献２】特開2011-122648号公報
【発明の概要】
【発明が解決しようとする課題】
【００１０】
ところで、上記かしめ工具２００は、ラッチ２２０のハンドル部２２２をラッチ枢支アーム２１１ｂの側壁に近接するように押圧するだけで、ラッチ部２２１が、ラッチ枢支部２２０ａを中心に、ラッチ部２２１のヨークダイス２３０への係止が解除される方向に回動する。また、ラッチ部２２１の先端にヨークダイス２３０の係止解除方向の力が加わった場合も係止が解除されてしまう場合がある。
【００１１】
したがって、上記従来のかしめ工具２００の場合、作業スペースが狭い現場（特に配管の前方にスペースが少ない場合など）では、一旦ラッチ部２２１の係合穴２２１ａにヨークダイス２３０の係止部２３２が係止されていたとしても、操作レバー２１５を操作する際に、不用意にハンドル部２２２を押圧したり、ラッチ部２２１の先端が壁、床、あるいは、隣接する配管等に当って、ラッチ部２２１のヨークダイス２３０への係止が解除状態になったり、半係止状態になることがある。そして、作業者が、係止が解除されているのに気づかず、操作レバー２１５を操作してかしめ不良を生じるおそれがある。
【００１２】
また、ラッチ部２２１のヨークダイス２３０への係止が解除状態になったり、半係止状態になった状態でかしめ作業を行うと、かしめ時の工具出力荷重は、ヨークダイスのみに掛かるため、ピストン軸に対して斜め方向の偏荷重がかかる。そして、この偏荷重によって、ピストン軸に交差する方向の力が発生しこの力によって、シリンダヘッド２１１ａ外に突出したピストン２１２の先端部が力方向にたわみ変形して、この変形したピストン２１２の先端部がシリンダ孔の先端で支えて元に戻らずシリンダヘッド２１１ａから突出した状態になってしまったり、プレスダイスホルダ２４０のピストン装着ピン２４１が変形する、あるいは、折れたりするおそれがある。
【００１３】
本発明は、上記事情に鑑みて、ラッチ部のヨークダイスへの係止が容易に解除されることがなく、かしめ不良や、工具自体の破損や不具合を防止することできるかしめ工具を提供することを目的としている。
【課題を解決するための手段】
【００１４】
上記目的を達成するために、本発明にかかるかしめ工具（以下、「本発明のかしめ工具」と記す）は、プレスダイスをヨークダイス方向に進出させて、プレスダイスとヨークダイスとの間でかしめ対象をかしめるようになっていて、前記ヨークダイスは、ダイス本体部とこのダイス本体部の一側から延出するアーム部を有し、前記アーム部の先端部が工具本体に枢支され前記アーム部の先端部を中心に回動し、前記ダイス本体部がプレスダイスとのかしめ位置と、かしめ対象挿脱位置とを選択可能にされているとともに、前記ヨークダイスのダイス本体部の他端に設けられた係止部に係止して前記ヨークダイスを前記かしめ位置に保持するラッチを備えるかしめ工具であって、前記ラッチは、前記ヨークダイスの係止部に係止させた状態を維持するようにロックする手動解除可能なロック機構が設けられていることを特徴としている。
【００１５】
本発明のかしめ工具において、上記ロック機構は、ロック状態が確実に維持されるように、ロック部が弾性体の付勢力によってロック位置に保持される構成とすることが好ましい。
上記ラッチは、操作性を考慮すると、工具本体に枢支された枢支部を有するとともに、この枢支部を挟んでラッチ部と、ハンドル部とを備え、このハンドル部が工具本体側に押圧動作されることによって、前記ラッチ部が枢支部を中心に回動し、前記ラッチ部のヨークダイスの係止部への係止が解除されるように形成されていることが好ましい。
【００１６】
そして、上記ハンドル部は、ハンドル部本体と、このハンドル部本体に沿ってスライドするとともに、弾性体によってラッチ部側に向かって付勢されたロック解除レバーとを備え、ロック解除レバーが前記付勢力に抗して工具本体方向にスライドしてロック部のロックが解除される構成とすることが好ましい。
【００１７】
また、ロック解除レバーは、ロック解除動作を片手で容易に行えるようにするために、工具本体を片手で保持した状態で、保持した手の親指を係止可能、かつ、係止された親指でロック解除レバーをロック解除位置までスライド動作可能な指係止突部を備えている構成とすることが好ましい。
上記指係止突部は、ラッチ枢支部を挟んでラッチ部と逆側に配置されるように設けられていることが好ましく、指係り部がアール状に湾曲していることが好ましい。
【発明の効果】
【００１８】
本発明のかしめ工具は、以上のように、プレスダイスをヨークダイス方向に進出させて、プレスダイスとヨークダイスとの間でかしめ対象をかしめるようになっていて、前記ヨークダイスは、ダイス本体部とこのダイス本体部の一側から延出するアーム部を有し、前記アーム部の先端部が工具本体に枢支され前記アーム部の先端部を中心に回動し、前記ダイス本体部がプレスダイスとのかしめ位置と、かしめ対象挿脱位置とを選択可能にされているとともに、前記ヨークダイスのダイス本体部の他端に設けられた係止部に係止して前記ヨークダイスを前記かしめ位置に保持するラッチを備えるかしめ工具であって、前記ラッチは、前記ヨークダイスの係止部に係止させた状態を維持するようにロックする手動解除可能なロック機構が設けられているので、作業者が意図的に上記ロック機構のロック解除操作をしない限り、ラッチによる係止が容易に解除できない。
【００１９】
したがって、狭い場所、暗い場所、などでの不良施工を低減し、工事のやり直しや、部材廃棄を減らすことができる。
不良圧縮での工具の破損を低減することができるので、工具の修理低減、工具破損による工事中断などを削減できる。
【図面の簡単な説明】
【００２０】
【図１】本発明のかしめ工具の第１の実施の形態をあらわし、その要部一部切欠正面図である。
【図２】図１のかしめ工具の要部平面図である。
【図３】図１のかしめ工具の要部左側面図である。
【図４】図１のかしめ工具の要部一部切欠右側面図である。
【図５】図１のかしめ工具のラッチの係止解除状態をあらわす要部一部切欠正面図である。
【図６】本発明のかしめ工具の第２の実施の形態をあらわし、その要部一部切欠正面図である。
【図７】図６のかしめ工具の要部平面図である。
【図８】図６のかしめ工具の要部左側面図である。
【図９】図６のかしめ工具の要部一部切欠右側面図である。
【図１０】図６のかしめ工具のラッチの係止解除状態をあらわす要部一部切欠正面図である。
【図１１】従来のかしめ工具をあらわす正面図である。
【発明を実施するための形態】
【００２１】
以下に、本発明を、その実施の形態をあらわす図面を参照しつつ詳しく説明する。
図１〜図５は、本発明のかしめ工具の第１の実施の形態をあらわしている。
【００２２】
図１に示すように、このかしめ工具Ａは、工具本体１ａと、ヨークダイス固定用ラッチ(以下、「ラッチ」とのみ記す)２ａと、ヨークダイス３と、プレスダイスホルダ４と、プレスダイス５とを備えている。
ヨークダイス３、プレスダイスホルダ４およびプレスダイス５は、図１１に示す従来のかしめ工具２００のヨークダイス２３０、プレスダイスホルダ２４０およびプレスダイス２５０とそれぞれ同様の構成となっている。
【００２３】
工具本体１ａは、ピストン１１の進退軸を挟んでほぼ対称位置にラッチ枢支アーム１０ａと、ヨークダイス枢支アーム１０ｂが設けられている。
ラッチ枢支アーム１０ａには上記ピストン１１の進退軸に平行に切欠溝１２が穿設されている。
切欠溝１２は、第１溝部１２ａと、ピストン１１の縮退側に設けられた第２溝部１２ｂとを備えている。
第２溝部１２ｂは、その底がピストンの進退軸側に第１溝部１２ａの底より階段状に落ち込んだように設けられている。
【００２４】
ラッチ２ａは、ラッチ部２１と、枢支部２７と、ハンドル部２２とを備えている。
ラッチ部２１は、ヨークダイス３の係止部３２が係合する係合穴２１ａを備えている。
【００２５】
枢支部２７は、ラッチ枢支アーム１０ａの先端に回動自在に枢支されている。
ハンドル部２２は、ハンドル部本体２３と、ロック解除レバー２４とを備えている。
ハンドル部本体２３は、枢支部２７を挟んでラッチ部２１に一体に設けられ、弾性体としての第１コイルばね２８によって、工具本体１ａから離れる方向、すなわち、ラッチ部２１をヨークダイス３の係止部３２に係止する方向に付勢されている。
【００２６】
ロック解除レバー２４は、スライドガイド孔２４ｄと、ばね保持孔２４ｃと、突起状ロック部２４ｂと、指係止突部２４ａを備えている。
スライドガイド孔２４ｄは、ハンドル部本体２３がスライド可能に嵌り込んでいる。
【００２７】
ばね保持孔２４ｃは、スライドガイド孔２４ｄに連続して設けられ、スライドガイド孔２４ｄに対して同心円状に拡径していて、弾性体としての第２コイルばね２６がハンドル部本体２３に外嵌するように内装されている。
第２コイルばね２６は、ハンドル部本体２３にねじ込まれたボルト２５の頭部と、スライドガイド孔２４ｄの端面との間で保持され、ロック解除レバー２４を常にラッチ部２１側に付勢している。
【００２８】
突起状ロック部２４ｂは、切欠溝１２内を臨むように突設され、その突出長さが、ラッチ部２１がヨークダイス３の係止部３２に係止する位置（図１の位置にあるとき、その底面が第１溝部１２ａの底面に受けられる位置となる長さになっている。
指係止突部２４ａは、ロック解除レバー２４のロック解除方向へのスライド側端部に設けられ、指係止部側（ラッチ部２１側）の面が凹面を形成するようにラッチ枢支アーム１０ａからから離れる方向に立ち上がっている。
なお、図１中、３１はダイス本体部、３３アーム部、５１はプレスダイス５をプレスダイスホルダ４から抜け止め状態とするピンである。
【００２９】
つぎに、このかしめ工具Ａの使用方法の１例について説明する。
（１）図５に示すように、工具本体１ａを片方の右手Ｈで持ち、その右手Ｈの親指ｆを指係止突部２４ａに係止させて、ロック解除レバー２４を、第２コイルばね２６の付勢力に抗して図１に二点鎖線で示すように、突起状ロック部２４ｂの底面全体が第２溝部１２ｂの底面を臨む位置までスライドさせたのち、図５に示すように、親指ｆを手の平方向に、すなわち、工具本体１ａ側に押圧して、ハンドル部本体２３をロック解除レバー２４とともに、枢支部２７を中心に回動させる。
これにより、ラッチ部２１がヨークダイス３の係止部３２から離れる方向に回動し、係止部３２が係合穴２１ａから離脱する。そして、ヨークダイス３がヨーク枢支アーム１０ｂの先端に枢支された枢支部３４を中心に枢支部３４内に内蔵されたばね（図示せず）の付勢力によって、図５に二点鎖線で示すように、ラッチ部２１から離れる方向に回動する。
（２）ロック解除レバー２４から親指ｆを離す。
これにより、ラッチ２ａは、第１コイルばね２８及び第２コイルばね２６の付勢力によって図１の状態に戻るが、ヨークダイス３の係止部３２のラッチ部２１の係合穴２１ａへの係合は解除された状態に保たれる。
（３）左手でヨークダイス３とラッチ部２１との間にかしめ継手（図示せず）の挿入隙間を保持した状態で、この挿入隙間からかしめ対象となるかしめ継手がプレスダイス５のプレス面を臨むように、かしめ工具Ａを配置する。
【００３０】
（４）ロック解除レバー２４に親指ｆをかけてロック解除状態にしながら、係合穴２１ａに係止部３２が入り込むとともに、ヨークダイス３をダイス本体部３１がプレスダイス５と正対するかしめ位置となるように回動させる。
（５）ロック解除レバー２４から親指ｆをはずす。
これにより、突起状ロック部２４ｂの底面が、第１溝部１２ａの底に受けられた状態になり、ラッチ２ａのラッチ部２１がヨークダイス３から離れる方向の動きが完全にロックされる。すなわち、ヨークダイス３のダイス本体部３１とプレスダイス５とが正対した正常なかしめ位置にヨークダイス３が保持された状態にロックされる。
【００３１】
（６）図示していないが、図１１のかしめ工具２００と同様に、工具本体１ａの操作レバーを操作して、ピストン１１を油圧によってヨークダイス３のダイス本体部３１側に進出させてかしめ継手のかしめ箇所をプレスダイス５とヨークダイス３のダイス本体部３１との間でプレスすることによってかしめる。
（７）図示していないが、図１１のかしめ工具２００と同様にリリースレバーを操作してプレスダイス５を後退させる。
【００３２】
（８）上記（１）の動作をして、ラッチ部２１の係合穴２１ａへのヨークダイス３の係止部３２の係合を解除する。この解除によりヨークダイス３が枢支部３４に内蔵されたばねの働きによってラッチ部２１から離れる方向に回動し、ラッチ部２１とヨークダイス３との間にかしめ部が通過可能な隙間が形成される。
（９）上記隙間を介してかしめ工具Ａをかしめ部分から離脱させる。
【００３３】
このかしめ工具Ａは、上記のように、ロック機構を備えているので、ロック解除レバー２４を操作して意図的にロックを解除しない限り、ヨークダイス３の係止部３２が係合穴２１ａから離脱することがない。したがって、ヨークダイス３のダイス本体部３１がプレスダイス５と正対しない、正常なかしめ位置に配置されていない状態でかしめ動作を行うという事故を未然に防止することができる。
すなわち、不用意な不良施工を防ぐことができる。また、ヨークダイス３を正常なかしめ位置にする時も、ロック解除レバー２４をロック解除方向にスライド動作させる必要があるため、ヨークダイス３が正常なかしめ位置に配置されているか否かの注意喚起を、作業者へ促す効果がある。
【００３４】
結果として、狭い場所、暗い場所などでの不良施工を低減し、工事のやり直しや、部材廃棄を減らすことができる。
また、不良圧縮での工具の破損を低減することができるので、工具修理コストを低減し、工具破損による工事中断などを削減できる。
【００３５】
さらに、指係止突部２４ａがラッチ２ａの枢支部２７よりロック解除レバー２４のロック解除スライド方向、かつ、ロック解除スライド方向の端部に設けられているので、片手で操作しやすい。
また、指係止突部２４ａの頂部がアール状に面取り加工されているので、指が傷ついたりすることがない。
【００３６】
図６〜図１０は、本発明のかしめ工具の第２の実施の形態をあらわしている。
図６〜図１０に示すように、このかしめ工具Ｂは、以下の構成が、上記かしめ工具Ａと異なっている以外は、上記かしめ工具Ａと同じ構成となっている。したがって、かしめ工具Ａと同じ構成部分は同じ符号を付している。
【００３７】
すなわち、このかしめ工具Ｂは、工具本体１ｂの切欠溝１３の第１溝部１３ａの底が第２溝部１３ｂ側に向かって下り勾配（８〜１２°、好ましくは１０°前後）の傾斜面となっており、第２溝部１３ｂが周囲に立ち上がり壁を備えている。
また、ラッチ２ｂは、ハンドル部２０のロック解除レバー２９が、スライド方向の中間部に指係止突部２９ａが設けられていとともに、突起状ロック部２９ｂの底面２９ｃが第１溝部１３ａの傾斜面に沿う傾斜面となっている。
図５中、２９ｄはばね保持孔、２９ｅはスライドガイド孔である。
【００３８】
このかしめ工具Ｂは、上記のように、第１溝部１３ａの底が第２溝部１３ｂ側に向かって下り勾配の傾斜面となっており、突起状ロック部２９ｂの底面２９ｃもこの傾斜面に沿う傾斜面となっているので、上記かしめ工具Ａに比べ、ロック解除レバー２９をロック解除方向にスライドさせやすい。
【００３９】
本発明は、上記の実施の形態に限定されない。例えば、上記の実施の形態では、右手で工具本体を持っていたが、左手で持ってもよいし、勿論両手で持っても構わない。
上記の実施の形態では、弾性体としてコイルばねが用いられていたが、ゴムリング等でも構わない。
【符号の説明】
【００４０】
Ａ，Ｂ  かしめ工具
１ａ，１ｂ  工具本体
１０ａ  ラッチ枢支アーム
１０ｂ  ヨークダイス枢支アーム
１１  ピストン
１２、１３  切欠溝
１２ａ，１３ａ  第１溝部
１２ｂ，１３ｂ  第２溝部
２ａ，２ｂ  ヨークダイス固定用ラッチ
２１  ラッチ部
２１ａ  係合穴
２０，２２  ハンドル部
２３  ハンドル部本体
２４、２９  ロック解除レバー
２４ａ，２９ａ  指係止突部
２４ｂ、２９ｂ  突起状ロック部
２６  第２コイルばね（弾性体）
２８  第１コイルばね（弾性体）
３  ヨークダイス
３１  ダイス本体部
３２  係止部
３３  アーム部
３４  枢支部（ヨークダイス）
４  プレスダイスホルダ
５  プレスダイス
Ｈ  右手
ｆ  親指
【図１】
0005984511.tif 000002
【図２】
0005984511.tif 000003
【図３】
0005984511.tif 000004
【図４】
0005984511.tif 000005
【図５】
0005984511.tif 000006
【図６】
0005984511.tif 000007
【図７】
0005984511.tif 000008
【図８】
0005984511.tif 000009
【図９】
0005984511.tif 000010
【図１０】
0005984511.tif 000011
【図１１】
0005984511.tif 000012